(57)【要約】  【課題】医用内視鏡での観察において細部の見落としを防ぐことが可能な程度の広い画角をとることができ、かつ、高度な滅菌耐久性を備えた組成物を用いた内視鏡光学系及びこれを備えた内視鏡を提供する。  【解決手段】外滅菌処理を行う際に滅菌試薬に接触する外表面を有する光学素子１が、次の滅菌耐久性組成物からなる。  前記滅菌耐久性組成物の主成分として、Ｚｒ（ジルコニア），Ｙ（イットリウム），Ｇｄ（ガドリニウム），Ｔａ（タンタル），Ｎｂ（ニオブ），Ｌａ（ランタン），Ｈｆ（ハフニウム）のうち少なくともいずれかの成分を含み、屈折率が１．８以上である光学結晶材料。【選択図】  図２
2006051132.tif 000002
【特許請求の範囲】
【請求項１】
滅菌処理を行う際に滅菌試薬に接触する外表面を有する光学素子が、次の滅菌耐久性組成物からなることを特徴とする内視鏡光学系。
前記滅菌耐久性組成物の主成分として、Ｚｒ，Ｙ，Ｇｄ，Ｔａ，Ｎｂ，Ｌａ，Ｈｆのうち少なくともいずれかの成分を含み、屈折率が１．８以上である光学結晶材料。
【請求項２】
最も物体側の光学素子が、凹レンズであって、該凹レンズが、前記滅菌耐久性組成物からなることを特徴とする請求項１に記載の内視鏡光学系。
【請求項３】
最も物体側の光学素子が、平行平板であって、該平行平板が、前記滅菌耐久性組成物からなることを特徴とする請求項１に記載の内視鏡光学系。
【請求項４】
観察光学系と照明光学系を有し、
前記観察光学系と前記照明光学系のそれぞれにおける、滅菌処理を行う際に滅菌試薬に接触する外表面を有する光学素子のうち、少なくともいずれかの光学素子が、前記滅菌耐久性組成物からなることを特徴とする請求項１〜３のいずれかに記載の内視鏡光学系。
【請求項５】
観察光学系と照明光学系を有し、
前記観察光学系と前記照明光学系のそれぞれにおける、滅菌処理を行う際に滅菌試薬に接触する外表面を有する全ての光学素子が、前記滅菌耐久性組成物からなることを特徴とする請求項１〜３のいずれかに記載の内視鏡光学系。
【請求項６】
内視鏡の挿入部先端に被写体を結像するための対物レンズユニットを備え、
前記対物レンズユニットの最も被写体側の光学素子と最も像側の光学素子が、次の滅菌耐久性組成物からなることを特徴とする内視鏡光学系。
前記滅菌耐久性組成物の主成分として、Ｚｒ，Ｙ，Ｇｄ，Ｔａ，Ｎｂ，Ｌａ，Ｈｆのうち少なくともいずれかの成分を含み、屈折率が１．８以上である光学結晶材料。
【請求項７】
最も物体側の光学素子が、凹レンズであって、該凹レンズが、前記滅菌耐久性組成物からなることを特徴とする請求項６に記載の内視鏡光学系。
【請求項８】
最も物体側の光学素子が、平行平板であって、該平行平板が、前記滅菌耐久性組成物からなることを特徴とする請求項６に記載の内視鏡光学系。
【請求項９】
前記対物レンズユニットの全ての光学素子が、前記滅菌耐久性組成物からなることを特徴とする請求項６〜８のいずれかに記載の内視鏡光学系。
【請求項１０】
前記対物レンズユニットの最も像側の光学素子が、凸レンズであることを特徴とする請求項６〜９のいずれかに記載の内視鏡光学系。
【請求項１１】
前記対物レンズユニットの最も像側の光学素子が、吸収型赤外カットフィルタ又は、干渉型赤外カットフィルタであることを特徴とする請求項６〜９のいずれかに記載の内視鏡光学系。
【請求項１２】
被写体側から順に、イメージガイドファイバ束と、接眼レンズユニットとからなり、
前記接眼レンズユニットの最もイメージガイドファイバ束側の光学素子と最も観察側の光学素子が、次の滅菌耐久性組成物からなることを特徴とする内視鏡光学系。
前記滅菌耐久性組成物の主成分として、Ｚｒ，Ｙ，Ｇｄ，Ｔａ，Ｎｂ，Ｌａ，Ｈｆのうち少なくともいずれかの成分を含み、屈折率が１．８以上である光学結晶材料。
【請求項１３】
前記接眼レンズユニットの全ての光学素子が、前記滅菌耐久性組成物からなることを特徴とする請求項１２に記載の内視鏡光学系。
【請求項１４】
前記イメージガイドファイバ束が、前記滅菌耐久性組成物からなることを特徴とする請求項１２又は１３に記載の内視鏡光学系。
【請求項１５】
内視鏡の挿入部先端に被写体を結像するための撮像素子を備え、
前記撮像素子の最も被写体側の光学素子が、次の滅菌耐久性組成物からなることを特徴とする内視鏡光学系。
前記滅菌耐久性組成物の主成分として、Ｚｒ，Ｙ，Ｇｄ，Ｔａ，Ｎｂ，Ｌａ，Ｈｆのうち少なくともいずれかの成分を含み、屈折率が１．８以上である光学結晶材料。
【請求項１６】
内視鏡の挿入部先端に被写体側から順に、照明ユニットと、ライトガイドファイバ束とを備え、
前記照明ユニットの最も被写体側の光学素子と最もライトガイドファイバ束側の光学素子が、次の滅菌耐久性組成物からなることを特徴とする内視鏡光学系。
前記滅菌耐久性組成物の主成分として、Ｚｒ，Ｙ，Ｇｄ，Ｔａ，Ｎｂ，Ｌａ，Ｈｆのうち少なくともいずれかの成分を含み、屈折率が１．８以上である光学結晶材料。
【請求項１７】
前記照明ユニットの全ての光学素子が、前記滅菌耐久性組成物からなることを特徴とする請求項１６に記載の内視鏡光学系。
【請求項１８】
少なくとも前記ライトガイドファイバ束の一部が、前記滅菌耐久性組成物からなることを特徴とする請求項１６又は１７に記載の内視鏡光学系。
【請求項１９】
光源側から順に、入射ユニットと、ライトガイドファイバ束とからなり、
前記入射ユニットの最も光源側の光学素子と最もライトガイドファイバ束側の光学素子が、次の滅菌耐久性組成物からなることを特徴とする内視鏡光学系。
前記滅菌耐久性組成物の主成分として、Ｚｒ，Ｙ，Ｇｄ，Ｔａ，Ｎｂ，Ｌａ，Ｈｆのうち少なくともいずれかの成分を含み、屈折率が１．８以上である光学結晶材料。
【請求項２０】
前記入射ユニットの全ての光学素子が、前記滅菌耐久性組成物からなることを特徴とする請求項１９に記載の内視鏡光学系。
【請求項２１】
前記入射ユニットが円柱形状のロッド光学素子を含み、
前記ロッド光学素子が、前記滅菌耐久性組成物からなることを特徴とする請求項１９又は２０に記載の内視鏡光学系。
【請求項２２】
前記滅菌耐久性組成物が、ジルコニア（ＺｒＯ2）、イットリウム安定化ジルコニア（ＹＳＺ）、ガドリニウムガリウムガーネット（ＧＧＧ）、ＹＡＧ（Ｙ3ＡＬ5Ｏ12）のいずれかであることを特徴とする請求項１〜２１のいずれかに記載の内視鏡光学系。
【請求項２３】
滅菌処理を行う際に滅菌試薬に接触する外表面を有する光学素子が、光学結晶材料としてダイアモンドを用いて構成されていることを特徴とする内視鏡光学系。
【請求項２４】
前記光学結晶材料がペロブスカイト型結晶構造を持つことを特徴とする請求項１〜２３のいずれかに記載の内視鏡光学系。
【請求項２５】
前記光学結晶材料が単結晶構造を持ち、常光線屈折率と異常光線屈折率との差の絶対値が０．０１以下であることを特徴とする請求項１〜２４のいずれかに記載の内視鏡光学系。
【請求項２６】
前記光学結晶材料が多結晶構造を持ち、粒界の大きさが５０ｎｍ以下であることを特徴とする請求項１〜２２、２４のいずれかに記載の内視鏡光学系。
【請求項２７】
前記光学結晶材料が多結晶構造を持ち、粒界の大きさが２０ｎｍ以下であることを特徴とする請求項１〜２２、２４のいずれかに記載の内視鏡光学系。
【請求項２８】
請求項１〜２７のいずれかに記載の内視鏡光学系を備えた内視鏡。
【発明の詳細な説明】
【技術分野】
【０００１】
本発明は、滅菌プロセスに対する耐久性に優れた組成物を用いた内視鏡光学系、及びそれを備えた内視鏡に関する。
なお、本願における滅菌耐久性とは、例えば、１４０℃前後の高温高圧でかつ飽和水蒸気による滅菌システム、いわゆるオートクレーブ滅菌のような過酷な条件下での耐久性をいう。
【背景技術】
【０００２】
内視鏡は使用後、洗浄、消毒、滅菌が必要である。オートクレーブ滅菌は薬液を使用しないので環境に優しく、また、経済性に優れている。このため、近年、滅菌処理の条件が最も厳しいオートクレーブ滅菌が普及している。
【０００３】
内視鏡に一般の光学ガラスを用いた場合、薬液による消毒では、過酷な条件ではないため、光学ガラスが侵食され、曇りが発生し、光が透過しなくなることはない。しかしながら、オートクレーブ滅菌は過酷な条件で行うため、光学ガラスが侵食され、曇りが発生し、照明や観察ができない不具合が起こり易い。
【０００４】
このため、従来、オートクレーブ滅菌など、高温高圧で水蒸気を用いた条件下での滅菌処理に対する耐久性の向上を図った内視鏡光学素子が、例えば、次の特許文献１〜５に提案されている。
【特許文献１】特開平１１−２４９０３１号公報
【特許文献２】特開２００２−３１６８３３号公報
【特許文献３】特開２００２−３５０７４２号公報
【特許文献４】特許第２５０１０９９号公報
【特許文献５】ＵＳＰ６０３８０７９号明細書
【０００５】
特許文献１に記載の内視鏡光学素子は、滅菌耐久性に優れた内視鏡用光学材料として、不純物の少ない石英ガラスを用いている。
【０００６】
また、特許文献２に記載の内視鏡用光学部品は、耐滅菌性に優れた内視鏡用光学材料として、屈折率ｎｄ＝１．５４〜１．６４のモールドガラスを用いている。
【０００７】
また、特許文献３に記載の内視鏡用光学部品は、耐滅菌性に優れた内視鏡用光学材料として、ポリカーボネートやポリオレフィンなどの樹脂を用いている。
【０００８】
また、特許文献４に記載の内視鏡用光学部材は、耐滅菌性に優れた内視鏡用光学材料として、アルミナ（Ａｌ2Ｏ3）や、ＭｇＯなどの光学結晶を用いている。
【０００９】
また、特許文献５に記載の内視鏡光学系は、サファイアを内視鏡先端の対物光学レンズの一部又は全部に用いている。
【発明の開示】
【発明が解決しようとする課題】
【００１０】
医用内視鏡においては、人体への負担を極力軽減するため、細径化が最重要課題とされる。しかるに医用内視鏡の光学系を細径化すると、その分、観察光学系の最も被写体側の光学面の面積が小さくなる。他方、内視鏡を用いた検査においては、細部の見落としを防ぐために視野範囲を広くとる必要がある。このため、内視鏡の観察光学系の画角は極力広くとることが望まれる。
【００１１】
しかし、特許文献１に記載の内視鏡光学系に用いる石英ガラスは、屈折率が１．４５程度と低い。このため、石英ガラスを用いた特許文献1に記載の内視鏡光学素子では、画角を広くとることができない。
また、特許文献２に記載の内視鏡用光学部品に用いるモールドガラスも、屈折率が１．５４〜１．６４と低い。このため、特許文献２に記載のモールドガラスを用いた内視鏡用光学部品でも、画角を広くとることができない。
また、特許文献３に記載の内視鏡用光学部品に用いるポリカーボネートやポリオレフィンなどの樹脂も、屈折率が１．５３〜１．５９程度と低い。このため、特許文献３に記載の内視鏡用光学部品でも、画角を広くとることができない。
【００１２】
このように、特許文献１〜３に記載の光学材料では、屈折率が１．４６〜１．６４程度と低い。このため、例えば、従来一般に用いられている観察系において最も被写体側の光学部材が凹レンズで構成された内視鏡に、この観察系の凹レンズに特許文献１〜３に記載の上記光学材料を用いると、画角が狭くなり、広範囲の観察ができない。
また、特許文献１〜３に記載の光学材料では、耐性レベルも水蒸気滅菌などにおいて近年求められている耐性レベルに十分応えることが難しい。
【００１３】
また、特許文献４に記載の光学材料は、屈折率が１．７７、１．７４程度あり、特許文献１〜３に記載の光学材料に比べれば屈折率が高い。しかしながら、この程度の屈折率では、細径化した医用内視鏡での観察において細部の見落としを防ぐことが可能な視野範囲が得られる程には広い画角をとることができない。
【００１４】
また、特許文献５に記載の光学材料であるサファイアは、特許文献４の光学材料と同様、屈折率が１．７７程度であり、細径化した医用内視鏡での観察において細部の見落としを防ぐことが可能な視野範囲が得られる程には広い画角をとることができない。しかも、特許文献５に記載のものは、光学材料としてサファイアを用いており、サファイアはアッベ数が一種類に限定され、光学設計を行う上で、収差の補正を十分に行うことができないため、光学系の性能が悪い。
【００１５】
本発明は上記従来の課題に鑑みてなされたものであり、医用内視鏡での観察において細部の見落としを防ぐことが可能な程度の広い画角をとることができ、かつ、高度な滅菌耐久性を備えた組成物を用いた内視鏡光学系及びこれを備えた内視鏡を提供することを目的とする。
【課題を解決するための手段】
【００１６】
上記目的を達成するため、本発明による滅菌耐久性組成物を用いた内視鏡光学系、及びそれを備えた内視鏡は、外滅菌処理を行う際に滅菌試薬に接触する外表面を有する光学素子が、次の滅菌耐久性組成物からなることを特徴としている。
前記滅菌耐久性組成物の主成分として、Ｚｒ（ジルコニア），Ｙ（イットリウム），Ｇｄ（ガドリニウム），Ｔａ（タンタル），Ｎｂ（ニオブ），Ｌａ（ランタン），Ｈｆ（ハフニウム）のうち少なくともいずれかの成分を含み、屈折率が１．８以上である光学結晶材料。
【００１７】
また、本発明の内視鏡光学系においては、最も物体側の光学素子が、凹レンズであって、該凹レンズが、前記滅菌耐久性組成物からなるのが好ましい。
【００１８】
また、本発明の内視鏡光学系においては、最も物体側の光学素子が、平行平板であって、該平行平板が、前記滅菌耐久性組成物からなるのが好ましい。
【００１９】
また、本発明の内視鏡光学系においては、観察光学系と照明光学系を有し、前記観察光学系と前記照明光学系のそれぞれにおける、滅菌処理を行う際に滅菌試薬に接触する外表面を有する光学素子のうち、少なくともいずれかの光学素子が、前記滅菌耐久性組成物からなるのが好ましい。
【００２０】
また、本発明の内視鏡光学系においては、観察光学系と照明光学系を有し、前記観察光学系と前記照明光学系のそれぞれにおける、滅菌処理を行う際に滅菌試薬に接触する外表面を有する全ての光学素子が、前記滅菌耐久性組成物からなるのが好ましい。
【００２１】
また、本発明による内視鏡光学系は、内視鏡の挿入部先端に被写体を結像するための対物レンズユニットを備え、前記対物レンズユニットの最も被写体側の光学素子と最も像側の光学素子が、次の滅菌耐久性組成物からなることを特徴としている。
前記滅菌耐久性組成物の主成分として、Ｚｒ，Ｙ，Ｇｄ，Ｔａ，Ｎｂ，Ｌａ，Ｈｆのうち少なくともいずれかの成分を含み、屈折率が１．８以上である光学結晶材料。
【００２２】
また、本発明の内視鏡光学系においては、最も物体側の光学素子が、凹レンズであって、該凹レンズが、前記滅菌耐久性組成物からなるのが好ましい。
【００２３】
また、本発明の内視鏡光学系においては、最も物体側の光学素子が、平行平板であって、該平行平板が、前記滅菌耐久性組成物からなるのが好ましい。
【００２４】
また、本発明の内視鏡光学系においては、前記対物レンズユニットの全ての光学素子が、前記滅菌耐久性組成物からなるのが好ましい。
【００２５】
また、本発明の内視鏡光学系においては、前記対物レンズユニットの最も像側の光学素子が、凸レンズであるのが好ましい。
【００２６】
また、本発明の内視鏡光学系においては、前記対物レンズユニットの最も像側の光学素子が、吸収型赤外カットフィルタ又は、干渉型赤外カットフィルタであるのが好ましい。
【００２７】
また、本発明による内視鏡光学系は、被写体側から順に、イメージガイドファイバ束と、接眼レンズユニットとからなり、前記接眼レンズユニットの最もイメージガイドファイバ束側の光学素子と最も観察側の光学素子が、次の滅菌耐久性組成物からなることを特徴としている。
前記滅菌耐久性組成物の主成分として、Ｚｒ，Ｙ，Ｇｄ，Ｔａ，Ｎｂ，Ｌａ，Ｈｆのうち少なくともいずれかの成分を含み、屈折率が１．８以上である光学結晶材料。
【００２８】
また、本発明の内視鏡光学系においては、前記接眼レンズユニットの全ての光学素子が、前記滅菌耐久性組成物からなるのが好ましい。
【００２９】
また、本発明の内視鏡光学系においては、前記イメージガイドファイバ束が、前記滅菌耐久性組成物からなるのが好ましい。
【００３０】
また、本発明による内視鏡光学系は、内視鏡の挿入部先端に被写体を結像するための撮像素子を備え、前記撮像素子の最も被写体側の光学素子が、次の滅菌耐久性組成物からなることを特徴としている。
前記滅菌耐久性組成物の主成分として、Ｚｒ，Ｙ，Ｇｄ，Ｔａ，Ｎｂ，Ｌａ，Ｈｆのうち少なくともいずれかの成分を含み、屈折率が１．８以上である光学結晶材料。
【００３１】
また、本発明による内視鏡光学系は、内視鏡の挿入部先端に被写体側から順に、照明ユニットと、ライトガイドファイバ束とを備え、前記照明ユニットの最も被写体側の光学素子と最もライトガイドファイバ束側の光学素子が、次の滅菌耐久性組成物からなることを特徴としている。
前記滅菌耐久性組成物の主成分として、Ｚｒ，Ｙ，Ｇｄ，Ｔａ，Ｎｂ，Ｌａ，Ｈｆのうち少なくともいずれかの成分を含み、屈折率が１．８以上である光学結晶材料。
【００３２】
また、本発明の内視鏡光学系においては、前記照明ユニットの全ての光学素子が、前記滅菌耐久性組成物からなるのが好ましい。
【００３３】
また、本発明の内視鏡光学系においては、少なくとも前記ライトガイドファイバ束の一部が、前記滅菌耐久性組成物からなるのが好ましい。
【００３４】
また、本発明による内視鏡光学系は、光源側から順に、入射ユニットと、ライトガイドファイバ束とからなり、前記入射ユニットの最も光源側の光学素子と最もライトガイドファイバ束側の光学素子が、次の滅菌耐久性組成物からなることを特徴としている。
前記滅菌耐久性組成物の主成分として、Ｚｒ，Ｙ，Ｇｄ，Ｔａ，Ｎｂ，Ｌａ，Ｈｆのうち少なくともいずれかの成分を含み、屈折率が１．８以上である光学結晶材料。
【００３５】
また、本発明による内視鏡光学系においては、前記入射ユニットの全ての光学素子が、前記滅菌耐久性組成物からなるのが好ましい。
【００３６】
また、本発明の内視鏡光学系においては、前記入射ユニットが円柱形状のロッド光学素子を含み、前記ロッド光学素子が、前記滅菌耐久性組成物からなるのが好ましい。
【００３７】
また、本発明の内視鏡光学系においては、前記滅菌耐久性組成物が、ジルコニア（ＺｒＯ2）、イットリウム安定化ジルコニア（ＹＳＺ）、ガドリニウムガリウムガーネット（ＧＧＧ）、ＹＡＧ（Ｙ3ＡＬ5Ｏ12）のいずれかであるのが好ましい。
【００３８】
また、本発明による内視鏡光学系は、滅菌処理を行う際に滅菌試薬に接触する外表面を有する光学素子が、光学結晶材料としてダイアモンドを用いて構成されていることを特徴としている。
【００３９】
また、本発明の内視鏡光学系においては、前記光学結晶材料がペロブスカイト型結晶構造を持つのが好ましい。
【００４０】
また、本発明の内視鏡光学系においては、前記光学結晶材料が単結晶構造を持ち、常光線屈折率と異常光線屈折率との差の絶対値が０．０１以下であるのが好ましい。
【００４１】
また、本発明の内視鏡光学系においては、前記光学結晶材料が多結晶構造を持ち、粒界の大きさが５０ｎｍ以下であるのが好ましい。
【００４２】
また、本発明の内視鏡光学系においては、前記光学結晶材料が多結晶構造を持ち、粒界の大きさが２０ｎｍ以下であるのがより好ましい。
【００４３】
また、本発明による内視鏡は、本発明の上記いずれかの内視鏡光学系を備えている。
【発明の効果】
【００４４】
本発明によれば、医用内視鏡での観察において細部の見落としを防ぐことが可能な程度の広い画角をとることができ、かつ、高度な滅菌耐久性を備えた組成物を用いた内視鏡光学系及びそれを備えた内視鏡が得られる。
【発明を実施するための最良の形態】
【００４５】
実施例の説明に先立ち、本発明の作用効果について説明する。
本発明の内視鏡光学系は、滅菌処理を行う際に滅菌試薬に接触する外表面を有する光学素子全体又は光学素子の表面部を、主成分としてＺｒ，Ｙ，Ｇｄ，Ｔａ，Ｎｂ，Ｌａ，Ｈｆのうち少なくともいずれかの成分を含み、屈折率が１．８以上である光学結晶材料である滅菌耐久性組成物で構成されている。あるいは、滅菌処理を行う際に滅菌試薬に接触する外表面を有する光学素子が、光学結晶材料としてダイアモンドを用いて構成されている。
【００４６】
滅菌性に優れ、且つ広画角の内視鏡を実現するためには、高耐性、且つ高屈折率の光学材料を用いる必要がある。しかるに、本件出願人は、高耐性、且つ高屈折率の組成物として、Ｇｄ（ガドリニウム），Ｔａ（タリウム），Ｌａ（ランタン），Ｙ（イットリウム）などの透明な希土類元素や、Ｚｒ（ジルコニア），Ｈｆ（ハフニウム），Ｎｂ（ニオブ）などの希土類元素に近い性質を示す元素を主成分とする光学結晶材料を用いるのが良いことを発見した。
【００４７】
入手し易さや汎用性からみると、具体的な光学材料としては、ダイアモンド、ジルコニア（ＺｒＯ2）、イットリウム安定化ジルコニア（ＹＳＺ）、ガドリニウムガリウムガーネット（ＧＧＧ）などがある。
ダイアモンドは、屈折率が２．４程度と高く、耐性も非常に良い。
ジルコニアやイットリウム安定化ジルコニアは、屈折率が２．２程度と高く、且つ耐性が良く、比較的加工し易い。
ガドリニウムガリウムガーネットは、屈折率が２．０程度と高く、且つ耐性が良く、比較的加工し易い。
また、ＹＡＧ結晶（Ｙ3Ａｌ5Ｏ12）は、屈折率が１．８３程度と高く、且つ耐性が良く、比較的加工し易い。
これらの屈折率が１．８を上回る組成物を用いれば、高度な滅菌耐久性が得られることに加えて、従来の耐滅菌性組成物を用いた内視鏡光学系に比べてＮＡが大きくなり、画角、観察視野を広くとることができ、細径化した医用内視鏡を用いた観察において細部の見落としを極力防止することができる。
また、従来の耐滅菌性組成物を用いた内視鏡光学系に比べて屈折率が高いため、同じ画角の光学系を構成する場合に面の曲率を緩くすることができ、その分、内視鏡光学系を構成するレンズを加工し易くなる。
なお、屈折率１．７３程度のスピネル（ＭｇＡｌ2Ｏ4）を内視鏡光学系に用いることも考えられ、その場合は高耐性が得られるが、本発明のような高画角は得られない。
この他にも、高耐性が得られる物質としては、チタン酸ストロンチウム（ＳｒＴｉＯ3）、タンタル酸リチウム（ＬｉＴａＯ3）、ニオブ酸リチウム（ＬｉＮｂＯ3）がある。
【００４８】
また、本発明の内視鏡光学系では、滅菌耐久性組成物である光学結晶材料として、ペロブスカイト型結晶構造を持つものを用いるのが好ましい。
ペロブスカイト構造（ＡＢＸ3の組成式を有する立方晶系の結晶構造）を持つ化合物は、結晶構造が安定しているため、高耐性を期待できる。ペロブスカイト構造の化合物としての例としては、ＢａＴｉＯ3があるが、ＴｉのサイトにＴａが入ると耐性が向上する。例えば、特開２００２−１８７７６７号公報に記載されているＢａ（Ｍｇ，Ｔａ）Ｏ3やＢａ（Ｚｎ，Ｔａ）Ｏ3のような化合物は、屈折率が１．９を上回り、且つ耐性もよい。
水蒸気滅菌などの滅菌処理において、ガラスなどにアルカリ元素やアルカリ土類元素を多量に含むと耐性が悪くなる傾向がある。これに対し、ペロブスカイト構造をもつ化合物では、ガラスと比較して、アルカリ元素やアルカリ土類元素の成分が溶出し難く、レンズの曇りや浸食等の不具合が生じ難くなる。
【００４９】
また、本発明の内視鏡光学系では、光学結晶材料が単結晶構造を持ち、常光線屈折率と異常光線屈折率の差の絶対値が０．０１以下であるのが好ましい。
【００５０】
単結晶構造を持つ光学結晶材料に関し、2003年9月時点でのカタログ『機能材料研究部、“屈折率異方性の小さい高屈折率圧電材料、一軸性単結晶”、透過率スペクトル、屈折率の波長依存性、諸物性、 (株)村田製作所』において、単結晶構造を有する圧電材料の光学特性が開示されていた。具体的な光学特性を図３０〜図３２に示す。これによれば、単結晶材料の屈折率は波長６００ｎｍ〜１６００ｎｍにおいて２．１８〜２．１０程度あり、常光線の屈折率ｎｏと異常光線の屈折率ｎｅはほとんど重なっていることがわかる。
【００５１】
単結晶構造には、粒界がない。このため、単結晶の光学結晶材料をレンズ全体、またはレンズの表面として用いたときにその部分で散乱が起こらないので好ましい。しかしその反面、単結晶構造には、一般に異方性があり、特に、常光線屈折率と異常光線屈折率との差の絶対値が大きいとレンズとして使用した場合に結像性能が悪化するという問題がある。
【００５２】
しかるに、本件出願人は、上記カタログに記載の材料のように、屈折率が１．８以上あり、かつ、常光線屈折率と異常光線屈折率との差の絶対値小さい光学結晶材料を本発明の滅菌耐久性組成物として用いることを着想するに至った。
本発明のように常光線屈折率と異常光線屈折率との差の絶対値が０．０１以下の単結晶構造を持つ光学結晶材料を用いれば、結像性能への影響を許容できるレベルに抑えることができる。
【００５３】
また、本発明の内視鏡光学系においては、他の構成としては、光学結晶材料が多結晶構造を持ち、粒界の大きさが５０ｎｍ以下であるのが好ましい。
【００５４】
多結晶構造を持つ光学結晶材料に関し、インターネット検索情報『材料統括部  マテリアル商品課、“投光性セラミックス”、光学特性（直線透過率）、光学特性（屈折率）、その他諸物性値、［online］、(株)村田製作所、［2002年6月11日検索］、インターネット＜http://www.murata.co.jp/products/japanese/ninfo/articles/nr01e1.html＞』において、多結晶構造を有する透光性セラミックスの光学特性が開示されていた。具体的な光学特性を図３３〜図３５に示す。これによれば、多結晶材料の屈折率は波長５００ｎｍ〜１５００ｎｍにおいて２．１１〜２．０４程度あることがわかる。
【００５５】
多結晶構造には、異方性がない。このため、多結晶構造を持つ光学結晶材料は、結晶軸を考慮することなくレンズとして使用することができる。しかしその反面、多結晶構造には、粒界があるため散乱が起こり易く、レンズとして使用した際に結像性能が悪化するという問題がある。
【００５６】
しかるに、本発明のように粒界の大きさが５０ｎｍ以下の多結晶構造を持つ光学結晶材料を用いれば、レンズの結像性能へ及ぼす影響を許容できるレベルに抑えることができる。なお、好ましくは、粒界の大きさは、２０ｎｍ以下であるのがよい。
【００５７】
その他、本発明による内視鏡光学系は、上記滅菌耐久性組成物を、滅菌処理を行う際に滅菌試薬に接触する外表面を有する光学素子の表面部に設けるようにしてもよい。
【００５８】
例えば、本発明の内視鏡光学系においては、最も物体側の光学素子が、凹レンズであって、該凹レンズの表面部が、前記滅菌耐久性組成物からなるようにしてもよい。
【００５９】
また、本発明の内視鏡光学系においては、最も物体側の光学素子が、平行平板であって、該平行平板の表面部が、前記滅菌耐久性組成物からなるようにしてもよい。
【００６０】
また、本発明の内視鏡光学系においては、観察光学系と照明光学系を有し、前記観察光学系と前記照明光学系のそれぞれにおける、滅菌処理を行う際に滅菌試薬に接触する外表面を有する光学素子のうち、少なくともいずれかの光学素子の表面部が、前記滅菌耐久性組成物からなるようにしてもよい。
【００６１】
また、本発明の内視鏡光学系においては、観察光学系と照明光学系を有し、前記観察光学系と前記照明光学系のそれぞれにおける、滅菌処理を行う際に滅菌試薬に接触する外表面を有する全ての光学素子の表面部が、前記滅菌耐久性組成物からなるようにしてもよい。
【００６２】
以下に本発明の内視鏡光学系の実施例を説明する。各実施例の説明に先立ち、各実施例の光学系に用いる滅菌耐久性組成物の構成例を比較例とともに説明する。
以下に説明する本発明の実施例に用いる滅菌耐久性組成物の光学結晶及び比較例の光学結晶を、従来公知の加工方法（研磨、成形）を用いて、光学部材を作製した。出来上がった光学部材で内視鏡光学系を構成した後、内視鏡の観察に使用し、使用後に高温高圧下での水蒸気滅菌処理を行った。
水蒸気滅菌の条件は、温度１３５℃の飽和水蒸気圧条件下で５分間保持し、水蒸気を排出して乾燥させるまでを一回とする工程を複数回行い、各回の工程毎に光学顕微鏡を介して内視鏡の上記光学部材を構成する滅菌耐久性組成物の表面の荒れを観察し、評価した。
【００６３】
通常の病院での内視鏡の平均的な使用頻度を考慮し、１日に平均２例の内視鏡手術を行い、その都度滅菌処理を行うものとすると、１年で約７００例となる。内視鏡光学系としては、約３年の製品寿命として２０００例程度の手術及び２０００回の滅菌処理に耐えるものであることが望まれる。
【００６４】
第１例：
滅菌耐久性組成物として、ダイアモンドを内視鏡光学系の最も物体側の光学素子に用いた。ダイアモンドからなる光学素子は、ｄ線での屈折率ｎｄ＝２．４２であり、広画角、高耐性であった。
また、ダイアモンドからなる光学素子は、耐水蒸気滅菌での耐性に関しては、水蒸気滅菌２０００例を行っても侵食されておらず、光学素子として結像性能劣化等が問題となるレベルには至らなかった。
【００６５】
第２例：
ジルコニア（ＺｒＯ2）を内視鏡第一面の凹レンズに用いた。ジルコニア（ＺｒＯ2）からなる凹レンズは、ｄ線での屈折率ｎｄ＝２．２１であり、広画角、高耐性であった。
また、ジルコニア（ＺｒＯ2）からなる凹レンズは、耐水蒸気滅菌での耐性に関しては、水蒸気滅菌２０００例を行っても侵食されておらず、光学素子として結像性能劣化等が問題となるレベルには至らなかった。
【００６６】
第３例：
ペロブスカイト型の多結晶構造を持つＢａ（Ｍｇ，Ｔａ）Ｏ3系光学結晶材料を内視鏡第一面の凹レンズに用いた。Ｂａ（Ｍｇ，Ｔａ）Ｏ3系光学結晶材料からなる光学素子は、ｄ線での屈折率ｎｄ＝２．１８であり、広画角、高耐性であった。
また、Ｂａ（Ｍｇ，Ｔａ）Ｏ3系光学結晶材料からなる光学素子は、耐水蒸気滅菌での耐性に関しては、水蒸気滅菌２０００例を行っても侵食されておらず、光学素子として結像性能劣化等が問題となるレベルには至らなかった。
【００６７】
第４例：
Ｔａを主成分とする単結晶構造を持つ光学結晶材料を内視鏡第一面の凹レンズに用いた。Ｔａを主成分とする単結晶構造を持つ光学結晶材料からなる凹レンズは、ｄ線での屈折率ｎｄ＝２．１８、アッベ数νｄ＝２３であり、広画角、高耐性であった。
また、Ｔａを主成分とする単結晶構造を持つ光学結晶材料からなる凹レンズは、耐水蒸気滅菌での耐性に関しては、耐水蒸気滅菌２０００例を行っても侵食されておらず、光学素子として結像性能劣化等が問題となるレベルには至らなかった。
【００６８】
比較例：
従来の光学レンズを構成する組成物のうちで比較的耐性の良いとされるＢＫ７を内視鏡第一面の凹レンズに用いた。
しかし、ＢＫ７からなる凹レンズは、耐水蒸気滅菌での耐性に関しては、耐水蒸気滅菌を２００例行うと、レンズ表面が侵食され、光学素子としての結像性能に問題を生じるレベルとなった。
【実施例１】
【００６９】
図１は本発明の実施例１にかかる内視鏡光学系に備わる対物光学系の概略構成を示す光軸に沿う断面図である。
実施例１の対物光学系は、物体側から順に、カバーガラス１と、凹レンズ２と、凸レンズ３と、フィルタ４，５と、凸レンズ６と凹レンズ７との接眼レンズと、凸レンズ８とを有して構成されている。カバーガラス１は、上述の第１例〜第４例で示したいずれかの滅菌耐久性組成物である光学結晶材料で構成されていて、外表面が滅菌処理を行う際に滅菌試薬に接触する位置に配置されている。
【実施例２】
【００７０】
図２は本発明の実施例２にかかる内視鏡光学系に備わる対物光学系の概略構成を示す光軸に沿う断面図である。
実施例２の対物光学系１０は、物体側から順に、像側に凹面を向けた負メニスカスレンズ１１と、レーザカット多層コート付きの赤外カットフィルタ１２と、両凸レンズ１３と、明るさ絞り１４と、レーザカット多層コート付きの赤外カットフィルタ１５と、両凸レンズ１６と物体側に凹面を向けた負メニスカスレンズ１７との接合レンズと、防塵用カバーガラス１８を有して構成されている。また、２１は対物光学系とは別に撮像素子ユニットに対し接着剤を介して接合されたＣＣＤカバーガラスである。防塵用カバーガラス１８とＣＣＤカバーガラス２１は、接着剤を介して接合されている。
負メニスカスレンズ１１は、ダイアモンドで構成されており、外表面が滅菌処理を行う際に滅菌試薬に接触する位置に配置されている。
【００７１】
次に、実施例２の内視鏡光学系に備わる対物光学系を構成する光学部材の数値データを表１に示す。
なお、データ中、ｒ1、ｒ2、…は各光学部材の各面の曲率半径、ｄ1、ｄ2、…は各光学部材の厚み及び光学部材間の間隔、ｎd1、ｎd2、…は各光学部材のｄ線での屈折率、νd1、νd2、…は各光学部材のｄ線でのアッベ数、ｆは焦点距離、ＦｎｏはＦナンバーである。これらの記号は、以下の各実施例の数値データにおいても共通である。
【００７２】
数値データ１（実施例２）
ｆ（焦点距離）：０．４３９６
Ｆｎｏ      ：４．９９４
視野角      ：１７６°
ｒ0＝∞（物体面）       ｄ0＝8
ｒ1＝5                  ｄ1＝0.2           ｎd1＝2.42
ｒ2＝0.5092             ｄ2＝0.28
ｒ3＝∞                 ｄ3＝0.5           ｎd3＝1.494         νd3＝75
ｒ4＝∞                 ｄ4＝0.1282
ｒ5＝1.8448             ｄ5＝0.9078        ｎd5＝1.816         νd5＝46.62
ｒ6＝-1.1932            ｄ6＝0.03
ｒ7＝∞（明るさ絞り）   ｄ7＝0.06
ｒ8＝∞                 ｄ8＝0.5           ｎd8＝1.494         νd8＝75
ｒ9＝∞                 ｄ9＝0.03
ｒ10＝1.0192            ｄ10＝0.6014       ｎd10＝1.51633      νd10＝64.14
ｒ11＝-0.6831           ｄ11＝0.2          ｎd11＝1.92286      νd11＝18.9
ｒ12＝-1.9523           ｄ12＝0.2355
ｒ13＝∞（カバーガラス）ｄ13＝0.4          ｎd13＝1.51633      νd13＝64.14
ｒ14＝∞（光学接着剤）  ｄ14＝0.01         ｎd14＝1.51         νd14＝64.14
ｒ15＝∞（カバーガラス）ｄ15＝0.4          ｎd15＝1.52         νd15＝64.14
ｒ16＝∞（光学接着剤）  ｄ16＝0.01         ｎd16＝1.56         νd16＝4.14
ｒ17＝∞                ｄ17＝0.019
ｒ18＝∞（像面）        ｄ18＝0
【実施例３】
【００７３】
図３は本発明の実施例３にかかる内視鏡光学系に備わる対物光学系の概略構成を示す光軸に沿う断面図である。
実施例３の対物光学系１０’は、物体側から順に、物体側が平面で像側が凹面の平凹レンズ１１’と、赤外カットフィルタ１２’と、両凸レンズ１３と、明るさ絞り１４と、両凸レンズ１６と物体側に凹面を向けた負メニスカスレンズ１７との接合レンズと、防塵用カバーガラス１８を有して構成されている。また、２１は対物光学系１０’とは別に撮像素子ユニットに接着剤を介して接合されたＣＣＤカバーガラスである。防塵用カバーガラス１８とＣＣＤカバーガラス２１は、接着剤を介して接合されている。
平凹レンズ１１’は、ジルコニア（ＺｒＯ2）で構成されており、外表面が滅菌処理を行う際に滅菌試薬に接触する位置に配置されている。
【００７４】
次に、実施例３の内視鏡光学系に備わる対物光学系を構成する光学部材の数値データを表２に示す。
数値データ２（実施例３）
ｆ（焦点距離）：０．５２１６２
Ｆｎｏ      ：３．４７６
視野角      ：１６４．０°
ｒ0＝∞（物体面）       ｄ0＝12
ｒ1＝∞                 ｄ1＝0.2           ｎd1＝2.21
ｒ2＝0.4969             ｄ2＝0.284
ｒ3＝∞                 ｄ3＝0.62          ｎd3＝1.514         νd3＝75
ｒ4＝∞                 ｄ4＝0.1226
ｒ5＝1.6264             ｄ5＝0.8858        ｎd5＝1.7725        νd5＝49.6
ｒ6＝-1.2395            ｄ6＝0.03
ｒ7＝∞（明るさ絞り）   ｄ7＝0.06
ｒ8＝1.1794             ｄ8＝0.7424        ｎd8＝1.51633       νd8＝64.14
ｒ9＝-0.7151            ｄ9＝0.2064        ｎd9＝1.84666       νd9＝23.78
ｒ10＝-6.7749           ｄ10＝0.4117
ｒ11＝∞（カバーガラス）ｄ11＝0.4          ｎd11＝1.51633      νd11＝64.14
ｒ12＝∞（光学接着剤）  ｄ12＝0.01         ｎd12＝1.51         νd12＝64.14
ｒ13＝∞（カバーガラス）ｄ13＝0.4          ｎd13＝1.52         νd13＝64.14
ｒ14＝∞（光学接着剤）  ｄ14＝0.034
ｒ15＝∞（像面）        ｄ18＝0
【実施例４】
【００７５】
図４は本発明の実施例４にかかる内視鏡光学系に備わる対物光学系の概略構成を示す光軸に沿う断面図である。
実施例４の対物光学系１０”は、物体側から順に、物体側が平面で像側が凹面の平凹レンズ１１’と、レーザカットフィルタ１２”と、両凸レンズ１３と、明るさ絞り１４と、赤外カットフィルタ１５’と、両凸レンズ１６と物体側に凹面を向けた負メニスカスレンズ１７との接合レンズと、物体側が凸面で像側が平面の平凸レンズ１９を有して構成されている。また、２１は対物光学系１０”とは別に撮像素子ユニットに接着剤を介して接合されたＣＣＤカバーガラスである。平凸レンズ１９とＣＣＤカバーガラス２１は、接着剤を介して接合されている。
平凹レンズ１１’は、ペロブスカイト型の多結晶構造を持つＢａ（Ｍｇ，Ｔａ）Ｏ3系光学結晶材料で構成されており、外表面が滅菌処理を行う際に滅菌試薬に接触する位置に配置されている。
【００７６】
次に、実施例４の内視鏡光学系に備わる対物光学系を構成する光学部材の数値データを表３に示す。
数値データ３（実施例４）
ｆ（焦点距離）：０．８７１８４
Ｆｎｏ      ：４．２２６
視野角      ：１６６°
ｒ0＝∞（物体面）       ｄ0＝14.3
ｒ1＝∞                 ｄ1＝0.3           ｎd1＝2.08          νd1＝30.3
ｒ2＝0.7594             ｄ2＝0.41
ｒ3＝∞                 ｄ3＝0.4           ｎd3＝1.52287       νd3＝59.89
ｒ4＝∞                 ｄ4＝0.1209
ｒ5＝3.163              ｄ5＝1.356         ｎd5＝1.8061        νd5＝40.92
ｒ6＝-1.662             ｄ6＝0.2545
ｒ7＝∞（明るさ絞り）   ｄ7＝0.03
ｒ8＝∞                 ｄ8＝1             ｎd8＝1.494         νd8＝75
ｒ9＝∞                 ｄ9＝0.0687
ｒ10＝2.2215            ｄ10＝1.16         ｎd10＝1.72916      νd10＝54.68
ｒ11＝-1.232            ｄ11＝0.2187       ｎd11＝1.92286      νd11＝18.9
ｒ12＝∞                ｄ12＝0.5226
ｒ13＝2.9114            ｄ13＝0.8          ｎd13＝1.51633      νd13＝64.14
ｒ14＝∞（光学接着剤）  ｄ14＝0.01         ｎd14＝1.51         νd14＝63
ｒ15＝∞（カバーガラス）ｄ15＝0.4          ｎd15＝1.6109       νd15＝50.2
ｒ16＝∞（光学接着剤）  ｄ16＝0.01         ｎd16＝1.52         νd16＝63
ｒ17＝∞                ｄ17＝0.02
ｒ18＝∞（像面）        ｄ18＝0
【実施例５】
【００７７】
図５は本発明の実施例５にかかる内視鏡光学系を構成する対物光学系の概略構成を示す光軸に沿う断面図である。
実施例５の対物光学系１０”’は、物体側から順に、像側に凹面を向けた負メニスカスレンズ１１と、レーザカット多層コート付き赤外カットフィルタ１２と、物体側が凸面で像側が平面の平凸レンズ１３’と、レーザカット多層コート付き赤外カットフィルタ１５と、明るさ絞り１４と、物体側が平面で像側が凸面の平凸レンズ１６’と、物体側が平面で像側が凸面の平凸レンズ１６”と、防塵用カバーガラス１８を有して構成されている。また、２１は内視鏡光学系１０”’とは別に撮像素子ユニットに接着剤を介して接合されたＣＣＤカバーガラスである。防塵用カバーガラス１８とＣＣＤカバーガラス２１は、接着剤を介して接合されている。
負メニスカスレンズ１１は、Ｔａを主成分とする単結晶構造を持つ光学結晶材料で構成されていて、外表面が滅菌処理を行う際に滅菌試薬に接触する位置に配置されている。
【００７８】
次に、実施例５の内視鏡光学系に備わる対物光学系を構成する光学部材の数値データを表４に示す。
数値データ４（実施例５）
ｆ（焦点距離）：０．９２９９３
Ｆｎｏ      ：１２．５７７
視野角      ：１６２°
ｒ0＝∞（物体面）       ｄ0＝13
ｒ1＝10                 ｄ1＝0.34          ｎd1＝2.18          νd1＝23
ｒ2＝0.7997             ｄ2＝0.33
ｒ3＝∞                 ｄ3＝0.31          ｎd3＝1.514         νd3＝75
ｒ4＝∞                 ｄ4＝0.2871
ｒ5＝1.392              ｄ5＝0.68          ｎd5＝1.84666       νd5＝23.78
ｒ6＝∞                 ｄ6＝0.03
ｒ7＝∞                 ｄ7＝0.31          ｎd7＝1.514         νd7＝75
ｒ8＝∞（明るさ絞り）   ｄ8＝0.03
ｒ9＝∞                 ｄ9＝0.45          ｎd9＝1.72916       νd9＝54.68
ｒ10＝-2.942            ｄ10＝0.12
ｒ11＝∞                ｄ11＝0.65         ｎd11＝1.51633      νd11＝64.14
ｒ12＝-1.581            ｄ12＝0.5167
ｒ13＝∞（カバーガラス）ｄ13＝1.15         ｎd13＝1.51633      νd13＝64.14
ｒ14＝∞（光学接着剤）  ｄ14＝0.01         ｎd14＝1.51         νd14＝64.1
ｒ15＝∞（カバーガラス）ｄ15＝0.8          ｎd15＝1.52         νd15＝64.1
ｒ16＝∞（光学接着剤）  ｄ16＝0.01         ｎd16＝1.56         νd16＝64.1
ｒ17＝∞                ｄ17＝0
ｒ18＝∞（像面）        ｄ18＝0
【実施例６】
【００７９】
図６は本発明の実施例６にかかる内視鏡の概略構成図、図７は図６の内視鏡光学系の説明図であり、(a)は図６の内視鏡に備わる照明光学系の要部説明図、(b)は(a)の変形例にかかる照明光学系の要部説明図、(c)は図６の内視鏡に備わる接眼光学系の概略構成図である。
実施例６の内視鏡光学系では、内視鏡挿入部の先端に、対物光学系３０（図では便宜上、簡略化して示してある。）と、照明光学系４０（図では便宜上、簡略化して示してある。）が配置されている。内視鏡挿入部の対物光学系３０と同一光路上には、リレーレンズ、又はイメージガイドファイバ束もしくは、撮像素子による信号伝達手段からなる像伝送系３１が内蔵されている。図６に示す例では、像伝送系３１がリレーレンズ、又はイメージガイドファイバ束を用いた硬性鏡又はファイバースコープとして構成されており、像伝送系３１の像側には接眼光学系３２（図では便宜上、簡略化して示してある。）が配置されている。
そして、対物光学系３０と、像伝送系３１と、接眼光学系３２とで観察系が構成されている。
【００８０】
対物光学系３０は、例えば、実施例１〜５のいずれかの対物光学系が用いられている。
接眼光学系３２は、図７(c)に示すように、ガウスタイプの変形レンズ系であって、像伝送系３１のイメージガイドファイバ束３１ｂにより伝送された像を拡大し観察することができるようになっている。
また、最も観察側のカバーガラス３２ｎは、上述の第１例〜第４例で示したいずれかの滅菌耐久性組成物で構成されている。
【００８１】
また、内視鏡挿入部には、照明光学系４０へ光を伝送するためのライトガイドファイバ束４１が設けられている。さらに、内視鏡には、光源５０と、光源５０からの光をライトガイドファイバ束４１に光学的に接続するための接続光学系４２が配置されている。そして、光源５０と、接続光学系４２と、ライトガイドファイバ束４１と、照明光学系４０とで、照明系が構成されている。
照明光学系４０は、図７(a)に示すように、最も物体側のレンズを負レンズ４０1で構成したもの、或いは、図７(b)に示すように、最も物体側のレンズを正レンズ４０1’で構成したもの、のいずれのタイプも適用できる。なお、図７(b)における４０2は単ファイバである。
また、図７(a)，図７(b)のいずれのタイプの照明光学系４０においても、正レンズ又は負レンズは、照明光の配光性を良くする（広範囲化する）ために表面を粗面加工して、或いはレンズの内部に光拡散部材を含んで構成してもよい。
【００８２】
そして、実施例６の内視鏡では、内視鏡光学系に備わる対物光学系３０、照明光学系４０、接眼光学系３２、及び接続光学系４２を構成する光学部材のうち滅菌処理を行う際に滅菌試薬に接触する外表面を持つ全ての光学部材、もしくは少なくともいずれかの光学部材は、上述の第１例〜第４例で示したいずれかの滅菌耐久性組成物で構成されている。
滅菌試薬に接触する位置に配置された外表面を持つ全ての光学部材を滅菌耐久性組成物で構成すれば、内視鏡全体を滅菌しても耐久性が確保できるので好ましい。
【実施例７】
【００８３】
図８は本発明の実施例７にかかる内視鏡光学系を構成する照明光学系の要部説明図である。
実施例７の内視鏡光学系を構成する照明光学系４０’は、負レンズ４０1の滅菌処理を行う際に滅菌試薬に接触する位置に配置された外表面（図８では物体側が平面でライトガイドファイバ束４１側が凹面の平凹レンズの平面）に、上述の第１例〜第４例で示したいずれかの滅菌耐久性組成物４０ａ’を、蒸着法や、スパッタリング法などを用いて成膜して構成されている。
【実施例８】
【００８４】
図９は本発明の実施例８にかかる内視鏡光学系を構成する対物光学系の要部説明図である。
実施例８の内視鏡光学系を構成する対物光学系３０’は、対物光学系３０’を構成する光学部材のうち滅菌試薬に接触する位置に配置された外表面を有する光学素子の表面（図９では光学素子３０1’の最も物体側の面）に、上述の第１例〜第４例で示したいずれかの滅菌耐久性組成物３０ａ’を、蒸着法や、スパッタリング法などを用いて成膜して構成されている。
【実施例９】
【００８５】
図１０は本発明の実施例９にかかる内視鏡光学系を構成する接眼光学系３２’の要部説明図である。
実施例９の内視鏡光学系は、接眼光学系３２’を構成する光学部材のうち滅菌処理を行う際に滅菌試薬に接触する位置に配置された外表面（図１０では接眼レンズ３２ｎ’の最も像側の面）に、上述の第１例〜第４例で示したいずれかの滅菌耐久性組成物３２ａ’を、蒸着法や、スパッタリング法などを用いて成膜して構成されている。
【００８６】
本発明の内視鏡光学系は、これら実施例７〜実施例９の照明光学系４０’、対物光学系３０’、接眼光学系３２’の構成を組合せて構成することができる。そして、照明光学系４０’、対物光学系３０’、接眼光学系３２’を構成する光学系の滅菌処理を行う際に滅菌試薬に接触する位置に配置された外表面の全て、もしくはいずれかに、上述の第１例〜第４例で示したいずれかの滅菌耐久性組成物を成膜するのが好ましい。照明光学系４０’、対物光学系３０’、接眼光学系３２’を構成する光学系の滅菌処理を行う際に滅菌試薬に接触する位置に配置された外表面の全てに滅菌耐久性組成物を成膜すれば、内視鏡全体を滅菌しても耐久性が確保できる。
なお、上記実施例７〜実施例９の内視鏡光学系のように光学部材の表面を滅菌耐久性組成物で構成する場合、上述の第１例〜第４例で示したいずれかの滅菌耐久性組成物は、薄いフィルム状に形成するのが望ましい。
【実施例１０】
【００８７】
図１１は本発明の実施例１０にかかる内視鏡光学系を構成する対物光学系における滅菌耐久性組成物の配置例を示す説明図である。
実施例１０の内視鏡光学系を構成する対物光学系は、内視鏡全体に機密性を持たせることができない場合に好適な例として示したものである。
実施例１０の内視鏡光学系を構成する対物光学系３０”は、対物レンズユニット単独でオートクレーブ滅菌耐久性を持たせるために、対物レンズユニット３０−１”の最も被写体側の光学素子３０1”と最も像側の光学素子３０2”又はそれらの光学素子の表面全体が、上述の第１例〜第４例で示したいずれかの滅菌耐久性組成物で構成されている。
【実施例１１】
【００８８】
図１２は本発明の実施例１１にかかる内視鏡光学系に備わる対物光学系を構成する対物レンズユニットの概略構成図である。
実施例１１の対物レンズユニット３０−１”’は、物体側から順に、平行平板状のカバーガラス３０1”’と、凸レンズ３０3”’，３０4”’を有し、これら全ての光学素子又は全ての光学素子の表面全体が、上述の第１例〜第４例で示したいずれかの滅菌耐久性組成物で構成されている。なお、カバーガラス３０1”’と凸レンズ３０3”’との間には、明るさ絞り３０2”’が設けられている。明るさ絞り３０2”’が、滅菌耐久性を有しない場合は、明るさ絞り３０2”’をカバーレンズ３０1”’と凸レンズ３０3”’との間に密封状態に接合する。このようにすれば、対物レンズユニット３０−１”’全体としての滅菌耐久性に効果的である。
【実施例１２】
【００８９】
図１３は本発明の実施例１２にかかる内視鏡光学系に備わる対物光学系を構成する対物レンズユニットの概略構成図である。
実施例１２の対物レンズユニット３０−１””は、物体側から順に、物体側が平面で像側が凹面の平凹レンズ３０1””と、両凸レンズ３０2””と、明るさ絞り３０3””と、物体側が平面で像側が凸面の平凸レンズ３０4””とからなり、いわゆる凹レンズと凸レンズからなるレトロフォーカスタイプの対物レンズユニットとして構成されている。そして、これら全ての光学素子又は全ての光学素子の表面全体が、上述の第１例〜第４例で示したいずれかの滅菌耐久性組成物で構成されている。
【実施例１３】
【００９０】
図１４は本発明の実施例１３にかかる内視鏡光学系に備わる対物光学系を構成する対物レンズユニットの概略構成図である。
実施例１３の対物レンズユニット３０−１””’は、物体側から順に、平行平板状のカバーガラス３０1””’と、物体側が平面で像側が凹面の平凹レンズ３０2””’と、両凸レンズ３０3””’と、レーザカットフィルタ又は赤外カットフィルタ３０4””’，３０5””’と、物体側が平面で像側が凸面の平凸レンズ３０6””’と物体側に凹面を向けた負メニスカスレンズ３０7””’との接合レンズと、物体側が凸面で像側が平面の平凸レンズ３０8””’とで構成されている。そして、対物レンズユニットの最も物体側の光学素子であるカバーガラス３０1””’と最も像側の光学素子である平凸レンズ３０8””’、又はこれらの光学素子の表面全体が、上述の第１例〜第４例で示したいずれかの滅菌耐久性組成物で構成されている。
【実施例１４】
【００９１】
図１５は本発明の実施例１４にかかる内視鏡光学系に備わる対物光学系を構成する対物レンズユニットの概略構成図である。
実施例１４の対物レンズユニット３０−１”””は、物体側から順に、物体側が平面で像側が凹面の平凹レンズ３０1”””と、レーザカットフィルタ又は赤外カットフィルタ３０2”””と、両凸レンズ３０3”””と、明るさ絞り３０4”””と、レーザカットフィルタ又は赤外カットフィルタ３０5”””と、物体側が平面で像側が凸面の平凸レンズ３０6”””と、吸収型赤外カットフィルタ又は干渉型赤外カットフィルタ３０7”””とで構成されている。そして、対物レンズユニットの最も物体側の光学素子である平凹レンズ３０1”””と最も像側の光学素子である赤外カットフィルタ３０7”””、又はこれらの光学素子の表面全体が、上述の第１例〜第４例で示したいずれかの滅菌耐久性組成物で構成されている。
【実施例１５】
【００９２】
図１６は本発明の実施例１５にかかる内視鏡光学系に備わる対物光学系を構成する対物レンズユニットの概略構成図である。
実施例１５の対物レンズユニット３０−１”””’は、物体側から順に、平行平板状のカバーガラス３０1”””’と、物体側が平面で像側が凹面の平凹レンズ３０2”””’と、両凸レンズ３０3”””’と、明るさ絞り３０4”””’と、レーザカットフィルタ又は赤外カットフィルタ３０5”””’と、物体側が平面で像側が凸面の平凸レンズ３０6”””’と物体側に凹面を向けた負メニスカスレンズ３０7”””’との接合レンズと、物体側が凸面で像側が平面の平凸レンズ３０8”””’と、赤外カットフィルタ３０9”””’とで構成されている。そして、対物レンズユニットの最も物体側の光学素子であるカバーガラス３０1”””’と最も像側の光学素子である赤外カットフィルタ３０9”””’、又はこれらの光学素子の表面全体が、上述の第１〜第４例で示したいずれかの滅菌耐久性組成物で構成されている。
なお、実施例１４、１５の最も像側の光学素子３０7”””，３０9”””’は、撮像素子ユニットのＣＣＤカバーガラスの前に配置される防塵用カバーガラスと兼用してもよい。
【実施例１６】
【００９３】
図１７は本発明の実施例１６にかかる内視鏡光学系に備わる接眼光学系を構成する接眼レンズユニットの概略構成図である。
実施例１６の内視鏡光学系を構成する接眼光学系は、内視鏡全体に機密性を持たせることができない場合に好適な例を示しており、接眼レンズユニット単独でオートクレーブ滅菌耐久性を持たせている。
実施例１６の内視鏡光学系の接眼系は、物体側から順に、イメージガイドファイバ束３１ｂと、接眼レンズユニット３２−１とで構成されている。
接眼レンズユニット３２−１は、物体側から順に、カバーガラス３２1と、両凹レンズ３２2と両凸レンズ３２3との接合レンズと、両凸レンズ３２4と、物体側に凸面を向けた正メニスカスレンズ３２5と、物体側に凸面を向けた正メニスカスレンズ３２6と像側に凹面を向けた負メニスカスレンズ３２7との接合レンズと、平行平板状のカバーガラス３２8とで構成されている。そして、接眼レンズユニットの最もイメージガイドファイバ束３１ｂ側の光学素子であるカバーガラス３２1と最も像側の光学素子であるカバーガラス３２8、又はそれらの光学素子の表面全体が、上述の第１例〜第４例で示したいずれかの滅菌耐久性組成物で構成されている。
【実施例１７】
【００９４】
図１８は本発明の実施例１７にかかる内視鏡光学系に備わる接眼光学系を構成する接眼レンズユニットの概略構成図である。
実施例１７の接眼レンズユニット３２−１’は、物体側から順に、物体側が平面で像側が凸面の平凸レンズ３２1’と、物体側が凸面で像側が平面の平凸レンズ３２2’とで構成されている。そして、接眼レンズユニットの全ての光学素子、全ての光学素子の表面全体が、上述の第１例〜第４例で示したいずれかの滅菌耐久性組成物で構成されている。
図１８に示した接眼レンズユニットは、ラムスデン（Ramsden）型接眼レンズのユニットであり、接合面のない最もシンプルな構成となっている。このようなタイプの接眼レンズは、接着剤が滅菌耐久性を満たさない場合に有効である。なお、実施例１７では、接眼レンズユニットにおける接眼レンズのタイプは、ラムスデンタイプに限定されるものではなく、どのようなタイプの接眼レンズにも本発明は適用できる。
【実施例１８】
【００９５】
図１９は本発明の実施例１８にかかる内視鏡光学系に備わるイメージガイドファイバ束の概略構成を示す説明図であり、(a)は端面図、(b)はイメージガイドファイバ束を構成する１つのファイバの拡大端面図、(c)は(b)の断面図である。
実施例１８のイメージガイドファイバ束３１ｂは、ファイバ束を構成する夫々の単ファイバ３１ａのクラッド３１ａ1が、上述の第１例〜第４例で示したいずれかの滅菌耐久性組成物で構成されている。
【実施例１９】
【００９６】
図２０は本発明の実施例１９にかかる内視鏡光学系に備わるイメージガイドファイバ束の概略構成を示す説明図であり、(a)は端面図、(b)はイメージガイドファイバ束を構成する１つのファイバの拡大端面図、(c)は(b)の断面図である。
実施例１９のイメージガイドファイバ束３１は、ファイバ束を構成する夫々の単ファイバ３１ａのコア３１ａ2が上述の第１例〜第４例で示したいずれかの滅菌耐久性組成物で構成されている。
【実施例２０】
【００９７】
図２１は本発明の実施例２０にかかる内視鏡光学系に備わるイメージガイドファイバ束の概略構成を示す説明図であり、(a)は端面図、(b)はイメージガイドファイバ束を構成する１つのファイバの拡大端面図、(c)は(b)の断面図である。
実施例２０のイメージガイドファイバ束３１は、ファイバ束を構成する夫々の単ファイバ３１ａのクラッド３１ａ1の外側部分が上述の第１例〜第４例で示したいずれかの滅菌耐久性組成物で構成されている。
【実施例２１】
【００９８】
図２２は本発明の実施例２１にかかる内視鏡光学系に備わる像伝送系の概略構成を示す要部説明図である。
実施例２１の像伝送系３１は、上述の第１例〜第４例で示したいずれかの滅菌耐久性組成物で構成された光学素子３１ｃが、イメージガイドファイバ束３１ｂの入射端面もしくは射出端面に密着して構成されている。
【実施例２２】
【００９９】
図２３は本発明の実施例２２にかかる内視鏡先端部光学系の概略構成図である。
実施例２２の内視鏡先端部光学系６０は、物体側から順に、物体側が平面で像側が凹面の平凹レンズ６０1と、レーザカットフィルタ又は赤外カットフィルタ６０2と、両凸レンズ６０3と、明るさ絞り６０4と、レーザカットフィルタ又は赤外カットフィルタ６０5と、物体側が平面で像側が凸面の平凸レンズ６０6と、レーザカットフィルタ又は赤外カットフィルタ６０7と、カバーガラス６０8と、撮像素子６０9とで構成されている。そして、内視鏡先端部光学系の最も物体側の光学素子である平凹レンズ６０1と内視鏡先端部光学系の最も撮像素子側の光学素子であるカバーガラス６０8、又はこれらの光学素子の表面全体が、上述の第１例〜第４例で示したいずれかの滅菌耐久性組成物で構成されている。
【実施例２３】
【０１００】
図２４は本発明の実施例２３にかかる内視鏡光学系に備わる照明光学系の概略構成図である。
実施例２３の照明系は、照明光学系を構成する照明ユニット４０−１と、ライトガイドファイバ束４１とで構成されている。照明ユニット４０−１は、物体側から順に、物体側が平面で光源側が凸面の平凸レンズ４０1”と、両凸レンズ４０2”と、物体側が凸面でライトガイドファイバ束４１側が平面の単ファイバ４０3とで構成されている。そして、照明ユニット４０−１の最も物体側の光学素子である平凸レンズ４０1”と、最もライトガイドファイバ束４１側の光学素子である単ファイバ４０3、又はこれらの光学素子の表面全体が、上述の第１例〜第４例で示したいずれかの滅菌耐久性組成物で構成されている。
【実施例２４】
【０１０１】
図２５は本発明の実施例２４にかかる内視鏡光学系に備わる照明光学系の概略構成図である。
実施例２４の照明光学系は、照明ユニット４０−１の全ての光学素子、又はこれらの光学素子の表面全体が、上述の第１例〜第４例で示したいずれかの滅菌耐久性組成物で構成されている。その他の構成は実施例２３と同様である。
【実施例２５】
【０１０２】
図２６は本発明の実施例２５にかかる照明光学系に備わるライトガイドファイバ束の概略構成を示す説明図であり、(a)は端面図、(b)はライトガイドファイバ束を構成する１つのファイバの拡大端面図、(c)は(b)の断面図である。
実施例２５のライトガイドファイバ束４１は、ファイバ束を構成する夫々の単ファイバ４１ａのクラッド４１ａ1が、上述の第１例〜第４例で示したいずれかの滅菌耐久性組成物で構成されている。
【実施例２６】
【０１０３】
図２７は本発明の実施例２６にかかる照明光学系に備わるライトガイドファイバ束の概略構成を示す説明図であり、(a)は端面図、(b)はライトガイドファイバ束を構成する１つのファイバの拡大端面図、(c)は(b)の断面図である。
実施例２６のライトガイドファイバ束４１は、ファイバ束を構成する夫々の単ファイバ４１ａのコア４１ａ2が、上述の第１例〜第４例で示したいずれかの滅菌耐久性組成物で構成されている。
【実施例２７】
【０１０４】
図２８は本発明の実施例２７にかかる照明光学系に備わるライトガイドファイバ束の概略構成を示す要部説明図である。
実施例２７のライトガイドファイバ束４１は、上述の第１例〜第４例で示したいずれかの滅菌耐久性組成物で構成された光学素子４１ｃが、ライトガイドファイバ束の入射端面もしくは射出端面に密着して構成されている。
【実施例２８】
【０１０５】
図２９は本発明の実施例２８にかかる内視鏡光学系に備わる、内視鏡本体と光源とを接続する接続光学系の概略構成図である。
実施例２８の接続光学系４２は、ライトガイドファイバ束４１の入射端面に接近配置された入射ユニット４２−１として構成されている。入射ユニット４２−１は、円柱形状の単ファイバ４２1と、平行平板状の光学素子４２2とで構成されている。
そして、入射ユニット４２−１の最も光源側の光学素子４２1と最もライトガイドファイバ側の光学素子４２2のいずれか又はこれらの光学素子の全て、又はこれらの光学素子のいずれか又は全ての表面全体が、上述の第１例〜第４例で示したいずれかの滅菌耐久性組成物で構成されている。
【０１０６】
以上、本発明の内視鏡光学系及びそれを用いた内視鏡の実施例を説明したが、本発明の内視鏡光学系及びそれを用いた内視鏡は、上記各実施例の構成に限定されるものではなく、滅菌試薬に接触する位置に配置された外表面を持つ少なくとも一つの光学部材自体又は少なくとも一つの光学部材の表面を、本発明の特徴を満たす滅菌耐久性組成物で構成したものであれば、どのような構成であってもよい。また、本発明の滅菌耐久性組成物は上述の第１例〜第４例で示したいずれかのものに限定されるものでなく、本発明の構成要件を満たす材料であれば、どのような材料を用いても良い。
【０１０７】
また、本発明の内視鏡光学系及びそれを用いた内視鏡は、本発明の特許請求の範囲に記載された発明の他に次に記載のような特徴を備えている。
【０１０８】
（１）滅菌処理を行う際に滅菌試薬に接触する外表面を有する光学素子の表面部が、次の滅菌耐久性組成物からなることを特徴とする内視鏡光学系。
前記滅菌耐久性組成物の主成分として、Ｚｒ，Ｙ，Ｇｄ，Ｔａ，Ｎｂ，Ｌａ，Ｈｆのうち少なくともいずれかの成分を含み、屈折率が１．８以上である光学結晶材料。
【０１０９】
（２）最も物体側の光学素子が、凹レンズであって、該凹レンズの表面部が、前記滅菌耐久性組成物からなることを特徴とする上記（１）に記載の内視鏡光学系。
【０１１０】
（３）最も物体側の光学素子が、平行平板であって、該平行平板の表面部が、前記滅菌耐久性組成物からなることを特徴とする上記（１）に記載の内視鏡光学系。
【０１１１】
（４）観察光学系と照明光学系を有し、前記観察光学系と前記照明光学系のそれぞれにおける、滅菌処理を行う際に滅菌試薬に接触する外表面を有する光学素子のうち、少なくともいずれかの光学素子の表面部が、前記滅菌耐久性組成物からなることを特徴とする上記（１）〜（３）のいずれかに記載の内視鏡光学系。
【０１１２】
（５）観察光学系と照明光学系を有し、前記観察光学系と前記照明光学系のそれぞれにおける、滅菌処理を行う際に滅菌試薬に接触する外表面を有する全ての光学素子の表面部が、前記滅菌耐久性組成物からなることを特徴とする上記（１）〜（３）のいずれかに記載の内視鏡光学系。
【０１１３】
（６）前記滅菌耐久性組成物が、ジルコニア（ＺｒＯ2）、イットリウム安定化ジルコニア（ＹＳＺ）、ガドリニウムガリウムガーネット（ＧＧＧ）、ＹＡＧ（Ｙ3ＡＬ5Ｏ12）のいずれかであることを特徴とする上記（１）〜（５）のいずれかに記載の内視鏡光学系。
【０１１４】
（７）前記光学結晶材料がペロブスカイト型結晶であることを特徴とする上記（１）〜（６）のいずれかに記載の内視鏡光学系。
【０１１５】
（８）前記光学結晶材料が単結晶であり、常光線屈折率と異常光線屈折率との差の絶対値が０．０１以下であることを特徴とする上記（１）〜（７）のいずれかに記載の内視鏡光学系。
【０１１６】
（９）前記光学結晶材料が多結晶であり、粒界の大きさが５０ｎｍ以下であることを特徴とする上記（１）〜（７）のいずれかに記載の内視鏡光学系。
【０１１７】
（１０）前記光学結晶材料が多結晶であり、粒界の大きさが２０ｎｍ以下であることを特徴とする上記（１）〜（７）のいずれかに記載の内視鏡光学系。
【０１１８】
（１１）上記（１）〜（１０）のいずれかに記載の内視鏡光学系を備えた内視鏡。
【図面の簡単な説明】
【０１１９】
【図１】本発明の実施例１にかかる内視鏡光学系の概略構成を示す光軸に沿う断面図である。
【図２】本発明の実施例２にかかる内視鏡光学系の概略構成を示す光軸に沿う断面図である。
【図３】本発明の実施例３にかかる内視鏡光学系の概略構成を示す光軸に沿う断面図である。
【図４】本発明の実施例４にかかる内視鏡光学系の概略構成を示す光軸に沿う断面図である。
【図５】本発明の実施例５にかかる内視鏡光学系の概略構成を示す光軸に沿う断面図である。
【図６】本発明の実施例６にかかる内視鏡の概略構成図である。
【図７】図７は図６の内視鏡光学系の説明図であり、(a)は図６の内視鏡に備わる照明光学系の要部説明図、(b)は(a)の変形例にかかる照明光学系の要部説明図、(c)は図６の内視鏡に備わる接眼光学系の概略構成図である。
【図８】本発明の実施例７にかかる内視鏡光学系を構成する照明光学系の要部説明図である。
【図９】本発明の実施例８にかかる内視鏡光学系を構成する対物光学系の要部説明図である。
【図１０】本発明の実施例９にかかる内視鏡光学系を構成する接眼光学系３２’の要部説明図である。
【図１１】本発明の実施例１０にかかる内視鏡光学系を構成する対物光学系における滅菌耐久性組成物の配置例を示す説明図である。
【図１２】本発明の実施例１１にかかる内視鏡光学系に備わる対物レンズユニットの概略構成図である。
【図１３】本発明の実施例１２にかかる内視鏡光学系に備わる対物レンズユニットの概略構成図である。
【図１４】本発明の実施例１３にかかる内視鏡光学系に備わる対物光学系を構成する対物レンズユニットの概略構成図である。
【図１５】本発明の実施例１４にかかる内視鏡光学系に備わる対物レンズユニットの概略構成図である。
【図１６】本発明の実施例１５にかかる内視鏡光学系に備わる対物光学系を構成する対物レンズユニットの概略構成図である。
【図１７】本発明の実施例１６にかかる内視鏡光学系に備わる接眼光学系を構成する接眼レンズユニットの概略構成図である。
【図１８】本発明の実施例１７にかかる内視鏡光学系に備わる接眼光学系を構成する接眼レンズユニットの概略構成図である。
【図１９】本発明の実施例１８にかかる内視鏡光学系に備わるイメージガイドファイバ束の概略構成を示す説明図であり、(a)は端面図、(b)はイメージガイドファイバ束を構成する１つのファイバの拡大端面図、(c)は(b)の断面図である。
【図２０】本発明の実施例１９にかかる内視鏡光学系に備わるイメージガイドファイバ束の概略構成を示す説明図であり、(a)は端面図、(b)はイメージガイドファイバ束を構成する１つのファイバの拡大端面図、(c)は(b)の断面図である。
【図２１】本発明の実施例２０にかかる内視鏡光学系に備わるイメージガイドファイバ束の概略構成を示す説明図であり、(a)は端面図、(b)はイメージガイドファイバ束を構成する１つのファイバの拡大端面図、(c)は(b)の断面図である。
【図２２】本発明の実施例２１にかかる内視鏡光学系に備わるイメージガイドファイバ束の概略構成を示す要部説明図である。
【図２３】本発明の実施例２２にかかる内視鏡先端部光学系の概略構成図である。
【図２４】本発明の実施例２３にかかる内視鏡光学系に備わる照明光学系の概略構成図である。
【図２５】本発明の実施例２４にかかる内視鏡光学系に備わる照明光学系の概略構成図である。
【図２６】本発明の実施例２５にかかる照明光学系に備わるライトガイドファイバ束の概略構成を示す説明図であり、(a)は端面図、(b)はライトガイドファイバ束を構成する１つのファイバの拡大端面図、(c)は(b)の断面図である。
【図２７】本発明の実施例２６にかかる照明光学系に備わるライトガイドファイバ束の概略構成を示す説明図であり、(a)は端面図、(b)はライトガイドファイバ束を構成する１つのファイバの拡大端面図、(c)は(b)の断面図である。
【図２８】本発明の実施例２７にかかる照明光学系に備わるライトガイドファイバ束の概略構成を示す要部説明図である。
【図２９】本発明の実施例２８にかかる内視鏡光学系に備わる、内視鏡本体と光源とを接続する接続光学系の概略構成図である。
【図３０】単結晶構造を持つ光学結晶材料の一従来例の透過率スペクトルを示すグラフである。
【図３１】図３０に示した光学結晶材料の屈折率の波長依存性を示すグラフである。
【図３２】図３０に示した光学結晶材料の諸物性を示す表である。
【図３３】多結晶構造を持つ光学結晶材料の一従来例の直線透過率を示すグラフであり、(a)は波長０ｎｍ〜１００００ｎｍでのＡＲコート未処理の状態での透過率、(b)は波長３００ｎｍ〜９００ｎｍでのＡＲコート処理の状態及びＡＲコート未処理の状態での透過率を示している。
【図３４】図３３に示した光学結晶材料の屈折率を示すグラフであり、(a)は波長に対する屈折率特性、(b)はアッベ数に対する屈折率特性を示している。
【図３５】図３３に示した光学結晶材料のその他の諸物性値を示すグラフである。
【符号の説明】
【０１２０】
１              カバーガラス
２、７          凹レンズ
３、６、８、３０3”’、３０4”’            凸レンズ
４、５          フィルタ
１０、１０’、１０”、１０”’、３０、３０’、３０”          対物光学系
１１、３２7      像側に凹面を向けた負メニスカスレンズ
１１’、３０1””、３０2””’、３０1”””、３０2”””’、６０1
物体側が平面で像側が凹面の平凹レンズ
１２、１２’、１５、１５’、３０9”””’   赤外カットフィルタ
１２”         レーザカットフィルタ
１３、１６、３０2””、３０3””’、３０3”””、３０3”””’、３２3、３２4
、６０3         両凸レンズ
１３’、１９、３０8””’、３０8”””’、３２2’   物体側が凸面で像側が平面の平凸レンズ
１４、３０3””、３０4”””、３０4”””’、６０4   明るさ絞り
１６’、３０4””、３０6””’、３０6”””          レンズ
３０6”””’、３２1’、６０6           物体側が平面で像側が凸面の平凸レンズ
１７、３０7””’、３０7”””’        物体側に凹面を向けた負メニスカスレンズ
１８                                    防塵用カバーガラス
２１                ＣＣＤカバーガラス
３０1’、３０1”、３０2”、３１ｃ、４２2          光学素子
３０1”’、３２ｎ、３０1””’、３０1”””’、３２1、３２8、６０8  カバーガラス
３０2”’            明るさ絞り
３０4””’、３０5””’、３０2”””、３０5”””、３０7”””、３０5”””’、６０2、６０5、６０7             レーザカットフィルタ又は赤外カットフィルタ
３０ａ’、３２ａ’、４０ａ’    滅菌耐久性組成物
３０−１”、３０−１”’、３０−１””、３０−１””’、３０−１”””、３０−１”””’              対物レンズユニット
３１                  像伝送系
３１ｂ                イメージガイドファイバ束
３１ａ、４０2、４０3、４１ａ、４２1          単ファイバ
３１ａ1、４１ａ1      クラッド
３１ａ2、４１ａ2      コア
３２、３２’          接眼光学系
３２2                 両凹レンズ
３２5、３２6          物体側に凸面を向けた正メニスカスレンズ
３２ｎ’              接眼レンズ
３２−１、３２−１’  接眼レンズユニット
４０，４０’          照明光学系
４０1                 負レンズ
４０1’               正レンズ
４０1”               物体側が平面で光源側が凸面の平凸レンズ
４０−１              照明ユニット
４１                  ライトガイドファイバ束
４２                  接続光学系
４２−１              入射ユニット
５０                  光源
６０9                 撮像素子
【図１】
2006051132.tif 000003
【図２】
2006051132.tif 000004
【図３】
2006051132.tif 000005
【図４】
2006051132.tif 000006
【図５】
2006051132.tif 000007
【図６】
2006051132.tif 000008
【図７】
2006051132.tif 000009
【図８】
2006051132.tif 000010
【図９】
2006051132.tif 000011
【図１０】
2006051132.tif 000012
【図１１】
2006051132.tif 000013
【図１２】
2006051132.tif 000014
【図１３】
2006051132.tif 000015
【図１４】
2006051132.tif 000016
【図１５】
2006051132.tif 000017
【図１６】
2006051132.tif 000018
【図１７】
2006051132.tif 000019
【図１８】
2006051132.tif 000020
【図１９】
2006051132.tif 000021
【図２０】
2006051132.tif 000022
【図２１】
2006051132.tif 000023
【図２２】
2006051132.tif 000024
【図２３】
2006051132.tif 000025
【図２４】
2006051132.tif 000026
【図２５】
2006051132.tif 000027
【図２６】
2006051132.tif 000028
【図２７】
2006051132.tif 000029
【図２８】
2006051132.tif 000030
【図２９】
2006051132.tif 000031
【図３０】
2006051132.tif 000032
【図３１】
2006051132.tif 000033
【図３２】
2006051132.tif 000034
【図３３】
2006051132.tif 000035
【図３４】
2006051132.tif 000036
【図３５】
2006051132.tif 000037